(57)【要約】【課題】本発明は、簡易簡略な構成で、煮炊き前の穀物類のサンプリング時の定量化、水分除去程度の均等化を実現する付着水分、含水分を有する穀物類の計量・水切用具を提供する。【解決手段】本発明に係る付着水分、含水分を有する計量・水切用具は、合成樹脂材料により形成されて一定容量の付着水分、含水分を有する穀物類を収容可能な有底円筒状のスプーン本体１２と、このスプーン本体１２の底部に同心円状に穿設した多数の水切用穴１３と、スプーン本体１２の円形開口部の外側に一体成形した把持用の把手１４とを備える付着水分、含水分を有する穀物類の計量・水切用スプーン１１と、吸水性皮革である合成皮革の鹿皮を用いて袋状に形成した穀物類を収容する袋本体部２２と、この袋本体部２２の開閉部に内装した開口、閉口動作補助用の板バネ材２４ａ、２４ｂと、袋本体部２２の全体にわたって穿設した多数の小径の水切用穴２５とを有する付着水分、含水分を有する穀物類の水分除去用ケース２１とを備えるものである。【選択図】図１
2005210948.tif 000002
【特許請求の範囲】
【請求項１】
吸水性皮革を用いて袋状に形成した袋本体部と、袋本体部の開閉部に設けた開口、閉口動作補助用の開閉補助具と、袋本体部に設けた多数の水切用穴とを有することを特徴とする付着水分、含水分を有する穀物類の水分除去用ケース。
【請求項２】
吸水性皮革を用いて袋状に形成した付着水分、含水分を有する穀物類を収容する袋本体部と、この袋本体部の開閉部に内装した開口、閉口動作補助用の板バネ材と、袋本体部の全体にわたって穿設した多数の小径の水切用穴とを有することを特徴とする付着水分、含水分を有する穀物類の水分除去用ケース。
【請求項３】
前記袋本体部は、吸水性皮革である合成皮革の鹿皮を縫製して形成したものである請求項１又は２記載の付着水分、含水分を有する穀物類の水分除去用ケース。
【請求項４】
有底筒状に形成され、底部に多数の水切用穴を有することを特徴とする付着水分、含水分を有する穀物類の計量・水切用スプーン。
【請求項５】
合成樹脂材料により形成されて一定容量の付着水分、含水分を有する穀物類を収容可能な有底円筒状のスプーン本体と、このスプーン本体の底部に穿設した多数の水切用穴と、スプーン本体と一体成形した把持用の把手とを備えることを特徴とする付着水分、含水分を有する穀物類の計量・水切用スプーン。
【請求項６】
合成樹脂材料により形成されて一定容量の付着水分、含水分を有する穀物類を収容可能な有底円筒状のスプーン本体と、このスプーン本体の底部に同心円状に穿設した多数の水切用穴と、スプーン本体の円形開口部の外側に一体成形した把持用の把手とを備えることを特徴とする付着水分、含水分を有する穀物類の計量・水切用スプーン。
【請求項７】
有底筒状に形成され、底部に多数の水切用穴を有する付着水分、含水分を有する穀物類の計量・水切用スプーンと、
吸水性皮革を用いて袋状に形成した袋本体部と、袋本体部の開閉部に設けた開口、閉口動作補助用の開閉補助具と、袋本体部に設けた多数の水切用穴とを有する付着水分、含水分を有する穀物類の水分除去用ケースと、
を有することを特徴とする付着水分、含水分を有する穀物類の計量・水切用具。
【請求項８】
合成樹脂材料により形成されて一定容量の付着水分、含水分を有する穀物類を収用可能な有底円筒状のスプーン本体と、このスプーン本体の底部に穿設した多数の水切用穴と、スプーン本体と一体成形した把持用の把手とを備える付着水分、含水分を有する穀物類の計量・水切用スプーンと、
吸水性皮革を用いて袋状に形成した穀物類を収容する袋本体部と、この袋本体部の開閉部に内装した開口、閉口動作補助用の板バネ材と、袋本体部の全体にわたって穿設した多数の小径の水切用穴とを有する付着水分、含水分を有する穀物類の水分除去用ケースと、
を有することを特徴とする付着水分、含水分を有する穀物類の計量・水切用具。
【請求項９】
合成樹脂材料により形成されて一定容量の付着水分、含水分を有する穀物類を収容可能な有底円筒状のスプーン本体と、このスプーン本体の底部に同心円状に穿設した多数の水切用穴と、スプーン本体の円形開口部の外側に一体成形した把持用の把手とを備える付着水分、含水分を有する穀物類の計量・水切用スプーンと、
吸水性皮革である合成皮革の鹿皮を用いて袋状に形成した穀物類を収容する袋本体部と、この袋本体部の開閉部に内装した開口、閉口動作補助用の板バネ材と、袋本体部の全体にわたって穿設した多数の小径の水切用穴とを有する付着水分、含水分を有する穀物類の水分除去用ケースと、
を有することを特徴とする付着水分、含水分を有する穀物類の計量・水切用具。
【請求項１０】
水切用穴を有し、一定容量に形成されて付着水分、含水分を有する穀物類の計量・水切用スプーンにより当該付着水分、含水分を有する穀物類を掬い取り、前記穀物類のすり切りによる定量化及び水切りを行う工程と、
前記計量・水切用スプーンから、吸水性皮革により形成した多数の水切用穴を有する穀物類の水分除去用ケースに、定量化及び水切りした前記穀物類を入れる工程と、
前記水分除去用ケースを振り、前記穀物類に対する吸水性皮革による吸水及び水切用穴による水切りを行う工程と、
前記水分除去用ケースから穀物類を取り出し、水分計による水分測定に供する工程と、
を含むことを特徴とする付着水分、含水分を有する穀物類の計量・水分除去方法。
【請求項１１】
前記吸水性皮革は、合成皮革の鹿皮であることを特徴とする請求項１０記載の付着水分、含水分を有する穀物類の計量・水分除去方法。
【請求項１２】
前記穀物類は、炊飯前の米、煮炊き前の麦、粟、豆、キビ、トウモロコシ粒等から選ばれることを特徴とする請求項１０又は１１記載の付着水分、含水分を有する穀物類の計量・水分除去方法。
【発明の詳細な説明】
【技術分野】
【０００１】
本発明は、例えば米、麦、粟、豆、キビ、トウモロコシ粒等の煮炊きを行う前の穀物類をサンプリングし当該穀物類に含浸している水分測定を行う際に用いて好適な穀物類に付着した水分の除去用ケース、当該穀物類の計量・水切用スプーン、当該穀物類の計量・水切用具、及び当該穀物類の計量・水分除去方法に関するものである。
【背景技術】
【０００２】
従来、炊飯前の米等のような穀物類をサンプリングし当該穀物類に含浸している水分測定を行うに際して、例えば、ティッシュペーパーなどの紙類或いは手拭い、タオルなどの布類等々により測定対象物である穀物類を一定量と思われる程度で包み込み、当該包装用紙の外側から両手で軽く押しつける等しながら、当該穀物類の周囲に付着している水分を軽く除去し、この後、サンプリングした当該穀物類に含浸している水分を適宜水分計により測定することが行われている。
【０００３】
しかしながら、このような方法では、包装用紙の材質の相違や、作業者個人個人の押しつけ力の違い、更には作業時間の相違により、また量的にも水分除去の程度においても大きなばらつきが生じ、水分計による検査、分析結果に著しい影響、差異が生じるという問題があった。
【０００４】
特許文献１には、炊飯器に炊飯前の米用の含有水分測定器を組み込むとともに、電子秤を組み合わせ、含有水分がバラバラである炊飯前の米の水分測定を行って米を美味しく炊けるようにした米の含有水分測定機能付きの炊飯器及び秤り装置が提案されている。
【０００５】
しかし、この炊飯器及び秤り装置の場合、炊飯器に含有水分測定器を組み込むことに加え、電子秤をも備える構成であるため、どうしても装置構成が複雑で高価になってしまうという問題がある。
【特許文献１】特開平０９−０２８５６０号公報
【発明の開示】
【発明が解決しようとする課題】
【０００６】
解決しようとする問題点は、炊飯前の米等のような穀物類をサンプリングし当該穀物類に含浸している水分測定を行うに際して、簡易簡略な構成で、煮炊き前の穀物類のサンプリング時の定量化、水分除去程度の均等化を行う用具が存在しない点である。
【課題を解決するための手段】
【０００７】
本発明に係る付着水分、含水分を有する穀物類の水分除去用ケースは、吸水性皮革を用いて袋状に形成した付着水分、含水分を有する穀物類を収容する袋本体部と、この袋本体部の開閉部に内装した開口、閉口動作補助用の板バネ材と、袋本体部の全体にわたって穿設した多数の小径の水切用穴とを有することを最も主要な特徴とする。
【０００８】
また、本発明に係る付着水分、含水分を有する穀物類の計量・水切用スプーンは、合成樹脂材料により形成した一定容量の付着水分、含水分を有する穀物類を収容可能な有底円筒状のスプーン本体と、このスプーン本体の底部に穿設した多数の水切用穴と、スプーン本体と一体成形した把持用の把手とを備えることを最も主要な特徴とする。
【０００９】
本発明に係る付着水分、含水分を有する穀物類の計量・水切用具は、合成樹脂材料により形成した一定容量の付着水分、含水分を有する穀物類を収用可能な有底円筒状のスプーン本体と、このスプーン本体の底部に穿設した多数の水切用穴と、スプーン本体と一体成形した把持用の把手とを備える穀物類の計量・水切用スプーンと、吸水性皮革を用いて袋状に形成した穀物類を収容する袋本体部と、この袋本体部の開閉部に内装した開口、閉口動作補助用の板バネ材と、袋本体部の全体にわたって穿設した多数の小径の水切用穴とを有する穀物類の水分除去用ケースとを有することを最も主要な特徴とする。
【００１０】
本発明に係る付着水分、含水分を有する穀物類の計量・水分除去方法は、水切用穴を有し、一定容量に形成した付着水分、含水分を有する穀物類の計量・水切用スプーンにより穀物類を掬い取り、前記穀物類のすり切りによる定量化及び水切りを行う工程と、前記計量・水切用スプーンから、吸水性皮革により形成した多数の水切用穴を有する穀物類の水分除去用ケースに定量化及び水切りした穀物類を入れる工程と、水分除去用ケースを振り、穀物類に対する吸水性皮革による吸水及び水切用穴による水切りを行う工程と、水分除去用ケースから穀物類を取り出し、水分計による水分測定に供する工程とを含むことを最も主要な特徴とする。
【発明の効果】
【００１１】
本発明によれば、以下の効果を奏する。
すなわち、本発明に係る付着水分、含水分を有する穀物類の水分除去用ケースによれば、上述した穀物類の計量・水切用スプーンにて定量化、水分除去程度の均等化を行った炊飯前の米等の穀物類を、例えば合成皮革の鹿皮からなる吸水性皮革を用いて袋状に形成した袋本体部に入れ、軽く振ることで前記炊飯前の米等の穀物類の付着水分、含水分を更に吸水性皮革により吸水し、袋本体部の全体にわたって穿設した多数の小径の水切用穴からの放水させて一層の水分除去を行うことができ、前記穀物類に対する水分除去程度の一層の均等化を図ることができる。またこの際、吸水性皮革として合成皮革の鹿皮を用いることで、当該合成皮革の鹿皮の柔軟性により水分除去対象である穀物類を損傷させることもない。更に、袋本体部の開閉部に開口、閉口動作補助用の板バネ材を内装しているので、板バネ材に対する押圧、押圧解除により袋本体部の開閉を極めて簡略に行うことができ、操作性の向上を図ることができる。
【００１２】
また、本発明に係る付着水分、含水分を有する穀物類の計量・水切用スプーンによれば、合成樹脂材料により形成した有底円筒状のスプーン本体により、付着水分、含水分を有する炊飯前の米等の穀物類を掬い取り、すり切りを行うことで作業者の熟練の如何を問わず前記穀物類の定量化を行うことができるとともに、スプーン本体の底部に穿設した多数の水切用穴から付着水分、含水分を放出させることで、簡易簡略な構成で煮炊き前の穀物類のサンプリング時の定量化、水分除去程度の均等化を図ることができる。
【００１３】
本発明に係る付着水分、含水分を有する穀物類の計量・水切用具によれば、上述した効果を奏する穀物類の計量・水切用スプーンと水分除去用ケースとを組み合わせたものであることから、簡易簡略な構成で、作業者の熟練の如何を問わず煮炊き前の穀物類のサンプリング時の定量化、水分除去程度の均等化を確実に図ることができ、且つ、操作性も良好となる。
【００１４】
本発明に係る付着水分、含水分を有する穀物類の計量・水分除去方法によれば、上述した効果を奏する穀物類の計量・水切用スプーンを用いて、炊飯前の米等のような煮炊き前の付着水分、含水分を有する穀物類を掬い取り、前記穀物類のすり切りによる定量化及び水切りを作業者の熟練の如何を問わず簡略に行うことができ、更に、水分除去用ケースを用いて定量化、水分除去程度の均等化を行った炊飯前の米等の穀物類に対する一層の水分除去を行うことができ、前記穀物類に対する水分除去程度の一層の均等化を図った後、水分除去用ケースから穀物類を取り出し、水分計による水分測定に供することが可能となって、水分計による水分測定、分析精度の信頼性向上を図ることができる。
【発明を実施するための最良の形態】
【００１５】
簡易簡略な構成で、炊飯前の例えば米のような穀物類をサンプリングし当該穀物類に含浸している水分測定に際して行う穀物類の周囲に付着している水分除去の均等化を行い、当該穀物類の定量化の程度の均等化を行うという目的を、合成樹脂材料により形成されて一定容量の付着水分を有する穀物類を収容可能な有底円筒状のスプーン本体と、このスプーン本体の底部に同心円状に穿設した多数の水切用穴と、スプーン本体の円形開口部の外側に一体成形した把持用の把手とを備える上記穀物類の計量・水切用スプーンと、吸水性皮革である例えば合成皮革の鹿皮を用いて袋状に形成した上記穀物類を収容する袋本体部と、この袋本体部の開閉部に内装した開口、閉口動作補助用の板バネ材と、袋本体部の全体にわたって穿設した多数の小径の水切用穴とを有する上記穀物類の水分除去用ケースとを備える構成により実現した。
【実施例】
【００１６】
以下に本発明の実施例を詳細に説明する。
図１は、本実施例に係る穀物類（周囲に一定容量の付着水分し内部に含水分を有する例えば米、麦、粟、豆、キビ、トウモロコシ粒等の穀物類）の計量・水切用具１を示すものであり、この計量・水切用具１は、計量・水切用スプーン１１と、穀物類に付着した水分の除去用ケース２１とにより構成している。
【００１７】
前記計量・水切用スプーン１１は、例えば合成樹脂材料により形成した一定容量の付着水分、含水分を有する例えば炊飯前の米等の穀物類を収容可能な有底円筒状のスプーン本体１２と、図２に示すように、このスプーン本体１２の底部に同心円状に穿設した多数の小経の水切用穴１３と、スプーン本体１２の円形開口部の外側に一体成形した作業者の指により把持するための把手１４とを有している。
【００１８】
前記水分除去用ケース２１は、図１、図３、図４に示すように、例えば吸水性皮革である合成皮革の鹿皮を用いて一端側に開閉部２３を有する袋状に縫製され、内部に穀物類を収容可能な袋本体部２２と、この袋本体部２２の開閉部２３の口縁に縫製により内装した開口、閉口動作補助用の開閉補助具である一対構成の板バネ材２４ａ、２４ｂと、前記袋本体部２２を構成する吸水性皮革の全体にわたって穿設した多数の小径の水切用穴２５とを有している。なお、袋本体部２２は、例えば吸水性皮革である合成皮革の鹿皮をもって形成する他、合成皮革であるか、天然皮革であるかを限定することなく、吸水性皮革であるいずれの素材をもって形成しても良い。
【００１９】
前記板バネ材２４ａ、２４ｂは、図３に拡大して示すように、両側から力を加えて押圧することで撓み、開閉部２３を開口状態とするとともに、押圧を解除することで撓みが無くなり図４に示すように開閉部２３を閉口状態とするようになっている。
【００２０】
次に、前記計量・水切用スプーン１１及び水分除去用ケース２１を組み合わせた穀物類の計量・水切用具１を用いた穀物類の計量・水切方法について、炊飯前の米を例にとり、図５、図６乃至図９をも参照して説明する。
【００２１】
まず、図６に示すように、炊飯前の米３２を収容した容器３１に対して、作業者は前記計量・水切用スプーン１１の把手１４を指で把持し、有底円筒状のスプーン本体１２を入れ込んで炊飯前の米３２をスプーン本体１２の開口部から溢れる程度に掬い取る（ステップＳ１）。
【００２２】
次に、図７に示すように、スプーン本体１２の開口部から溢れる程度に掬い取った前記米３２に対する指等によるすり切りを行い定量化を行うとともに、炊飯前の米３２の周囲に付着している水分を水切用穴１３から放水し水分除去を行う（ステップＳ２）。
【００２３】
次に、図８に示すように、計量・水切用スプーン１１から、水分除去用ケース２１の例えば合成皮革の鹿皮のような吸水性皮革により形成した多数の水切用穴２５を有する袋本体部２２に定量化及び水切りした炊飯前の米３２を入れる（ステップＳ３）。この場合、水分除去用ケース２１の開閉部２３は、前記板バネ材２４ａ、２４ｂに両側から力を加えて押圧することで極めて簡略に開口状態とすることができる。
次に、前記板バネ材２４ａ、２４ｂに対する押圧力を解除し、開閉部２３を閉状態とした後、図９に示すように、前記水分除去用ケース２１を持って軽く振る等して、内部に含水分を有する炊飯前の米３２の周囲に付着した水分に対する吸水性皮革による吸水及び水切用穴２５による水切りを行う（ステップＳ４）。
【００２４】
次に、水分除去用ケース２１の開閉部２３を再び開き、この水分除去用ケース２１から炊飯前の米３２を取り出し、図示しない水分計による当該内部に含水分を有する炊飯前の米３２の水分測定に供する（ステップＳ５）。なお、水分計としては、赤外線水分計、加熱乾燥式水分計等、種々の測定原理からなる水分計を適用できる。
【００２５】
以上説明した本実施例によれば、以下の効果を奏する。
すなわち、本実施例に係る穀物類の計量・水切用スプーン１１によれば、合成樹脂材料により形成した有底円筒状のスプーン本体１２により、周囲に一定容量の付着水分し内部に含水分を有する炊飯前の例えば米３２等の穀物類を掬い取り、すり切りを行うことで作業者の熟練の如何を問わず前記米３２等の定量化を行うことができるとともに、スプーン本体１２の底部に穿設した多数の水切用穴１３から付着水分を放出させることで、簡易簡略な構成で、炊飯前の米３２等のような煮炊き前の穀物類のサンプリング時の定量化、水分除去程度の均等化を図ることができる。
【００２６】
また、本実施例に係る水分除去用ケース２１によれば、上述した計量・水切用スプーン１１にて定量化、水分除去程度の均等化を行った炊飯前の米３２等の穀物類を、例えば合成皮革の鹿皮からなる吸水性皮革を用いて袋状に形成した袋本体部２２に入れ、軽く振ることで前記炊飯前の米３２等の穀物類の付着水分を更に吸水性皮革により吸水し、袋本体部２２の全体にわたって穿設した多数の小径の水切用穴２５から放水させて一層の水分除去を行うことができ、水分除去程度の一層の均等化を図ることができる。
また、この際、吸水性皮革として合成皮革の鹿皮を用いることで、当該合成皮革の鹿皮の柔軟性により水分除去対象である炊飯前の米３２等を損傷させることもない。
更に、袋本体部２２の開閉部２３に開口、閉口動作補助用の開閉補助具である板バネ材２４ａ、２４ｂを内装しているので、板バネ材２４ａ、２４ｂに対する押圧、押圧解除により袋本体部２２の開閉を極めて簡略に行うことができ、操作性の向上を図ることができる。
【００２７】
本実施例に係る穀物類の計量・水切用具１によれば、上述した効果を奏する穀物類の計量・水切用スプーン１１と水分除去用ケース２１とを組み合わせたものであることから、簡易簡略な構成で、作業者の熟練の如何を問わず、煮炊き前の内部に含水分を有する穀物類の水分測定に供する穀物類のサンプリング時の定量化、水分除去程度の均等化を確実に図ることができ、且つ、操作性の向上を図ることができる。
【００２８】
更に、本実施例に係る穀物類の計量・水分除去方法によれば、上述した効果を奏する計量・水切用スプーン１１を用いて、サンプリングを行う炊飯前の米３２等のような煮炊き前で周囲に一定容量の付着水分し内部に含水分を有する穀物類を掬い取り、当該穀物類のすり切りによる定量化及び水切りを作業者の熟練の如何を問わず簡略に行うことができる。
更に、水分除去用ケース２１を用いて定量化、水分除去程度の均等化を行った炊飯前の米３２等の穀物類に対する一層の水分除去を行うことができ、前記穀物類に対する水分除去程度の一層の均等化を図った後、水分除去用ケース２１から穀物類を取り出し、内部に含水分を有する穀物類の水分計による水分測定に供することが可能となって、水分計による水分測定、分析精度の信頼性向上を図ることができる。
【産業上の利用可能性】
【００２９】
本発明は、上述した炊飯前の例えば米のような穀物類をサンプリングし当該穀物類に含浸している水分測定に際して行う穀物類の周囲に付着している水分を除去したり、当該穀物類の定量化に適用する場合の他、煮炊き前の麦、粟、豆、キビ、トウモロコシ粒など米以外の各種の穀物類に含浸している水分測定に際して行う穀物類の周囲に付着している水分を除去したり、当該穀物類の定量化に幅広く適用可能である。
【図面の簡単な説明】
【００３０】
【図１】本発明の実施例に係る穀物類の計量・水切用具を示す説明図である。
【図２】本実施例に係る計量・水切用スプーンの底面図である。
【図３】本実施例に係る水分除去用ケースの部分切欠拡大斜視図である。
【図４】本実施例に係る水分除去用ケースの開閉部を閉じた状態を示す部分説明図である。
【図５】本実施例に係る穀物類の計量・水分除去方法の工程図である。
【図６】本実施例に係る穀物類の計量・水分除去方法の工程のうち、計量・水切用スプーンによる米の掬い取り工程を示す斜視図である。
【図７】本実施例に係る穀物類の計量・水分除去方法の工程のうち、計量・水切用スプーンによるすり切り、水切り工程を示す説明図である。
【図８】本実施例に係る穀物類の計量・水分除去方法の工程のうち、計量・水切用スプーンから水分除去用ケースへ米を入れる工程を示す斜視図である。
【図９】本実施例に係る穀物類の計量・水分除去方法の工程のうち、水分除去用ケースを振り水切りを行う工程を示す説明図である。
【符号の説明】
【００３１】
１  計量・水切用具
１１  計量・水切用スプーン
１２  スプーン本体
１３  水切用穴
１４  把手
２１  水分除去用ケース
２２  袋本体部
２３  開閉部
２４ａ、２４ｂ  板バネ材
２５  水切用穴
３１  容器
３２  米
【図１】
2005210948.tif 000003
【図２】
2005210948.tif 000004
【図３】
2005210948.tif 000005
【図４】
2005210948.tif 000006
【図５】
2005210948.tif 000007
【図６】
2005210948.tif 000008
【図７】
2005210948.tif 000009
【図８】
2005210948.tif 000010
【図９】
2005210948.tif 000011